(57)【要約】      （修正有）【課題】マウスの操作性の向上。【解決手段】支承台１の底床面板に装着した両面粘着層テープで、マウスパツト１６に装置装着にした支承台１の上面板２に支承柱９を直立状態に立て、最も自分に使い易い使用位置にマウスパツト１６の配置を決めてから、次にマウス２６操作に必要とする長さのマウスコード２５の位置を決めた後に、コントロールテンシヨンバー１８に設けた、Ｕ字状コード挿止環１９にマウスコード２５を挿込んで挿着止し、次は手前のマウスコード２５をＶ字形状コード挟止溝２４に挿込んで挿着止する。【選択図】図４
2004334815.tif 000002
【特許請求の範囲】
【請求項１】
適宜形大長さで断面形状が中空状素材の両側端面部を、所望な形状面に形成した両側面に栓又はエンドカバーを貼着して設けて成る、支承台の上面板中央正面部奥の角から手前に適宜離した位置から、手前側面板の底床面角の適宜前に及んで、所望径大の穴部を上面板と側面板に直行して孔設した穴部に、支承柱の軸承足に組立ネジ部を設け、上面板から挿通して下面板に僅か突き出た軸承足の下面部に、適宜な弾力性と張力を有した反発力素材の長手中央部に穴部を設けて、組立加減ボルトで、支承柱の直立状態から、指力操作で上面板から手前の側面板に直行移動で倒れて、マウスパツト面に接触状態に移動位置が可動に組立た支承柱頭部に設けた螺状ネジ部に、適宜長さと強さの変向変曲反応自在バネの螺旋状凹凸溝に、螺状ネジ部をねじ込んだ下端面線から延びた、テンシヨンバーの端末線の要部に、Ｕ字状のコード支持環を形成して設けた変向変曲反応自在バネの上端面から延びた延長線のコントロールテンシヨンバーの端末線要部に複数の、Ｕ字形状に折曲げ加工を施して成る延長線で挿込み線を形成し、所望円状    大のコード挟止支持体の上部端面から下方に向けて、適宜深さのコード線を挿込む、Ｖ字形状の切込み溝部を設けた僅か下方の位置に隣接して、中空管を挿込む穴を設けて挿通固着にした、中空管の管内に挿込み線を装着固定に構成にして成る、支承台の底床面板に貼着層テープを張着して、マウスパツトの所望な位置に設置固着に設けるか、又はタツピングネジ等で固着に設けて成る構造を特徴とするマウスコードスタンド。
【請求項２】
支承柱の軸承足にネジ穴部を設けた下端面と上面板と一体の下面板との間に張力と反発力を有する、適宜形状素材及びコイルバネ、板バネ、又は弓状鋼線バネ等をネジ止めで設けた請求項１のマウスコードスタンド。
【請求項３】
コード挟止支持体を、所望なクリツプ等の装備で挟止目的を実行する請求項１のマウスコードスタンド。
【請求項４】
支承台に、折曲げ変向自在なボール継ぎ手等の支承柱でコードを吊り上げる機能装備に構成した請求項１マウスコードスタンド。
【請求項５】
支承台の底床面部に粘着層テープを設けて、マウスパツトに設置装備にした支承台の上面板に、支承柱が直立状態において、マウス操作範囲に必要な長さのコードを挟止状態に止めて、マウスコードを中空に吊り上げた状態で、マウス操作をすると、コードが中空を舞う動きになるので、マウス操作の安定性と確実性が確保される、実務仕事が終わり次第でマウスコードを外し、支承柱をマウスパツト面に倒して扱い管理を容易にした請求項１マウスコードスタンド。
【発明の詳細な説明】
【０００１】
【発明の属する技術分野】本案発明は、コード付きマウスに関する限りに於いて現在も、マウス操作の進入又は進行でコードを引く度、押出す度の様々な操作変化の折々に、必ずコード面と床面とが接触して摩擦抵抗が起こる解決対応の解消は、コードレースマウス以外では解決できない問題の欠点があつたので、操作の回数が増える度にどんどん能率が悪くなり、操作疲労も増加の加算となる、又マウス操作で余分なコードを引き込む労力や、マウス操作先のコードが進行障碍や邪魔をして、神経をイライラさせるなどの困つた事態がよく起きて、扱い操作に不利な場面でよく困たり、よく悩んだりする不要操作を繰返す事で、不能率や精神的にも肉体的にも不利な場面の発生を招く要因が時々起こる事がある。
【０００２】
【従来の技術】従来から今日に及んでよく使用されている、コード付きマウスに関する操作扱いでは、マウスに配備されている一連のコードが、多種多様なマウス操作の場面で、マウス操作に伴つてコードが極度な障碍不便で、一発解決が不発に成るなどの不合理が起きることがある。又不慣れな方々ほど操作労力を費やすなどの不要な酷使と神経を使う場面が起きるなど、従来のコード付きマウスの利用技術には、素人や高年齢者層には効率の悪い操作欠点環境場面が多く起こり易すかつた。
【０００３】
【発明が解決しようとする課題】現在に及んで、よく使われているコード付きマウス操作は、マウスに連結した一連のコードをマウス操作の度に、手前に引く又は、先に進入する場面が変わて手前に引き戻す場面等々の複雑な操作で、余分にコードを引き寄せ過ぎた長さのコードが、今度はマウスの進行先きを妨げる邪魔な障碍物となり、円滑なマウス操作環境の妨害になる事も屡々多く、又マウス操作と共に一連のコードが床面上を引きずり回す摩擦抵抗の手首労力と神経を解消するため、マウス操作に必要な長さのコードを支承台の支承柱で、コードを中空に吊り上げた状態でコードを挟止し、コードが中空を舞う動きにして抵抗を完全に解消して、円滑なマウス操作で快適で効率のよい操作期待や疲労を軽減して有益な結果の期待課題に役立つ解決にした。
【０００４】ノートパソコンを多忙利用の為に、自宅に持ち運んでは用立てする際に、支承柱をマウスパツトの面に寄せた状態に倒したコンパクト容体にして、管理維持や携帯に有利な至便利用の場面に役立つ様に解決したので、事ある度に、自宅や現場でパソコン活用至便な利用環境の効果が期待できる。
【０００５】
【課題を解決するための手段】マウス操作に連動して動くコードが、マウス操作の障碍や邪魔をすることが時々よくあるので、マウス操作の時コードがマウスに絡む事があるので、マウス周囲のコードを中空に吊り上げて、コードが中空を舞う動きに解決したので、誰にでもマウス操作がスムーズで安直容易となる操作によつて、不要な神経や疲労が解決できるような期待効果の解決手段である。
【０００６】
【発明の実施の形態】以下添付図面に従がつて一施例を説明すると、支承台１の底床面板７に装着した両面粘着層テープ１５で、マウスパツト１６に配置装着にした支承台１の上面板２に支承柱９を直立状態に立て、最も自分に使い易い使用位置にマウスパツト１６の配置を決めてから、次にマウス２６操作に必要とする長さのマウスコード２５の位置を決めた後に、コントロールテンシヨンバー１８に設けた、Ｕ字状コード挿止環１９にマウスコード２５を挿込ん挿着止し、次は手前のマウスコード２５をＶ字形状コード挟止溝２４に挿込んで挿着止した状態で、使用前の全ての諸準備は以上で完了です。
マウス操作に関する実務仕事が終わり次第、そのままの状態で終わるか、又は希望でマウスコド２５を支承柱９に関連係合したコードを係止部から、全てを取り外してから支承柱９を指力で、マウスパツト１６の面に倒して終わるか、又後の片づけの整理をして終わるかは、本人の判断扱いになる。
【０００７】
【発明の効果】本発明は、マウス操作に必要な長さのコードを中空に吊り上げた位置の状態コードを挟止して、マウスコードが中空を舞う動きにして、従来の様な床面とコードとの接触抵抗を完全に解消することで労力を軽減し、マウス操作の障碍なコードの邪魔が、一気に解消されて、マウス操作の操作性を高めて、微妙な動きの操作が可能になつて、マウス操作の安定力が有利となり、主たる目的操作を的確に進行させられるので、有効な操作性が常に安定するので、操作効率効果の成果と手首労力の軽減とが、常に解消されてより長時間のパソコン操作実務に優位な環境を提供して、有利な操作内容の充実展開の遂行目的が高まる事に役立つ効果が期待できる。
【図面の簡単な説明】
【図１】本発明に係わる支承台を示した斜視図である。
【図２】本発明に係わる構成及び構造の要部裁断面部を示す図面である。
【図３】本発明に係わる、支承柱をマウスパツト面に倒した図面である。
【図４】本発明に係る実施例に基づく状況を示した図面である。
【符号の説明】
１支承台    ２上面板    ３直角面前板    ４直角面部テイーパ部
５孔設穴部    ６斜辺面エンドカバー    ７底床面板    ８組立穴
９支承柱    １０軸承足    １１螺状ネジ部    １２平ワツサー
１３弾性反発素材        １４組立ネジ    １５両面粘着テープ
１６マウスパツト      １７変向変曲反応自在バネ
１８コントロールテンシヨンバー  １９Ｕ字状コード挿止環
２０テンシヨンバー              ２１Ｕ字状挿着アーム
２２コード挟止支持体            ２３中空挿通管
２４Ｖ字形状コード挟止溝        ２５マウスコード    ２６マウス
【図１】
2004334815.tif 000003
【図２】
2004334815.tif 000004
【図３】
2004334815.tif 000005
【図４】
2004334815.tif 000006